(57)【特許請求の範囲】
【請求項１】
駆動部が内蔵される本体と、前記駆動部を駆動する第１スイッチが設けられる把持部と、
前記本体の外部に露出して設けられた第１のプラグと、を有する電動工具と、
前記把持部の外周面に取り付けられるジョイント部と、
前記ジョイント部に他端が取り付けられ上向き方向に延びるアーム部と、
前記アーム部の一端に取り付けられる操作ハンドル部と、
前記把持部に前記ジョイント部を着脱可能に取り付ける着脱手段と、
を具備し、
前記アーム部及び操作ハンドルの内部には、接続コードが収容され、
前記操作ハンドル部は、前記接続コードに電気的に接続され、前記電動工具に電源を供給するための第２スイッチを備え、
前記接続コードの一端は、前記ジョイント部から外部に露出し、その端部には、前記第１のプラグと接続される第２のプラグを備え、
前記接続コードの他端は、前記操作ハンドル部の後方から外部に露出し、その端部には、前記電動工具を駆動する電源に接続される第３のプラグを備え、
前記ジョイント部は、
前記把持部の上側に配置される上側ジョイント部材と、
前記把持部の下側に配置される下側ジョイント部材と、を備え、
前記着脱手段は前記ジョイント部に設けられており、該着脱手段により前記ジョイント部が前記把持部の外周面に取り付けられた際において、前記上側ジョイント部材と下側ジョイント部材は前記第１スイッチが押圧された状態を保持することを特徴とする着脱式延長ハンドル付きの電動工具。
【請求項２】
前記下側ジョイント部材は、係合部を有し、
前記着脱手段は、
前記上側ジョイント部材に設けられており、
前記下側ジョイント部材の係合部と係合する係合部材と、
前記係合部材を前記係合部に係合させた状態で前記係合部材を上下方向に移動させる係合部材移動手段と、
を備えていることを特徴とする請求項１に記載の着脱式延長ハンドル付きの電動工具。
【請求項３】
前記着脱手段は、
前記係合部材が係合部に係合する係合力を調整する調整手段を、更に備えていることを特徴とする請求項２に記載の着脱式延長ハンドル付きの電動工具。
【請求項４】
前記下側ジョイント部材は、
略Ｕ字状に形成され、その幅方向に弾性力を有しており、且つ、前記下側ジョイント部材の端部間の幅は前記把持部の幅よりも狭く形成されており、
前記下側ジョイント部材が前記把持部に取り付けられる際において、前記下側ジョイント部材が、前記電動工具の第１スイッチを押圧した状態で、前記弾性力によって前記把持部に取り付けられることを特徴とする請求項１乃至３のいずれか一項に記載の着脱式延長ハンドル付きの電動工具。
【請求項５】
前記アーム部の外周面には、前記接続コードを係止する係止体を備えていることを特徴とする請求項１乃至４のいずれか一項に記載の着脱式延長ハンドル付きの電動工具。
【請求項６】
前記上側ジョイント部材と下側ジョイント部材とは、連結部材により繋がれていることを特徴とする請求項１乃至５のいずれか一項に記載の着脱式延長ハンドル付きの電動工具。
【発明の詳細な説明】
【技術分野】
【０００１】
本願は、延長ハンドルの着脱機構に関し、特に、着脱式延長ハンドル付きの電動工具に関する。
【背景技術】
【０００２】
従来、手持式の電動工具は多数存在する。電動工具の一例として電動刈り込み機が存在する。この手持式の電動刈り込み機は、一般に、使用者がひざを折り曲げた状態で芝を刈り込むものであり、特に年配者にあっては、苦痛をともなう作業であった。この苦痛を軽減するために、手持式の電動刈り込み機を使用者が立ったままで使用可能な着脱式延長ハンドル付きの電動刈り込み機がある。
【０００３】
このような着脱式延長ハンドル付きの電動刈り込み機は、使用者の作業にかかる疲労を軽減し、且つ作業の能率化を図る目的で様々な工夫がされている（例えば、特許文献１乃至３）。
【０００４】
特許文献１に記載の取付装置は、車輪が設けられた工具格納体と、当該工具格納体に固定され上向き方向に伸長する細長棒と、当該細長棒の端部に設けられる操作用のスイッチなどを備えたハンドルと、当該スイッチなどと電気的に接続され、工具格納体に収容される電動工具に接続されるプラグと、を備えて構成されている。
【０００５】
このようにして構成された特許文献１の取付装置は、電動工具を工具格納体に取り付け、電動工具の電源プラグを取付装置のプラグに接続することによって、使用者はハンドルで電動工具の操作を行えるとともに、立った状態で作業を行うことができる。
【０００６】
また、特許文献２に記載の電気園芸はさみは、後端に斜め上方に延びるハンドルが取り付けられているローラフレームの上面に電気園芸はさみの本体の底面を着脱自在に結合したものである。
【０００７】
また、特許文献３に記載の園芸バリカンは、園芸バリカンの枠体の底面に斜め上方に延びる車輪を有する操作把手の一端部を固定ねじにより固定したものである。
【０００８】
【特許文献１】特公昭５９−５１９６４号公報
【特許文献２】実開昭４９−１２８７６０号公報
【特許文献３】実公昭５４−４４６０号公報
【発明の開示】
【発明が解決しようとする課題】
【０００９】
上記電動刈り込み機は、その構造上、大掛かりなものとなり、装置全体の大型化とともに、製造コストの高騰を招く。
【００１０】
また、電動刈り込み機の操作スイッチをハンドルに設けられているスイッチに連動させるための基板やプラグなどが別途必要であり、電源ラインが煩雑になるとともに、この煩雑化にともない製造コストの高騰を招く。
【００１１】
本願が解決しようとする課題には、上記した問題が挙げられる。
【００１２】
本願は、上記の各問題点に鑑みてなされたもので、その課題は、簡易な構造でもって、電動工具のトリガースイッチを押圧した状態で延長ハンドルを容易に着脱可能な着脱式延長ハンドル付きの電動工具を提供することにある。
【課題を解決するための手段】
【００１３】
以下、本願について説明する。なお、本願の理解を容易にするために添付図面の参照符号を括弧書きにて付記するが、それにより本願が図示の形態に限定されるものではない。
【００１４】
請求項１に記載の着脱式延長ハンドル付きの電動工具（１００）は、駆動部が内蔵される本体（３）と、前記駆動部を駆動する第１スイッチ（５）が設けられる把持部（４）と、前記本体の外部に露出して設けられた第１のプラグ（２２ａ）と、を有する電動工具（１）と、前記把持部の外周面に取り付けられるジョイント部（２５）と、前記ジョイント部に他端を取り付けられ上向き方向に延びるアーム部（３０）と、前記アーム部の一端に取り付けられる操作ハンドル部（３５）と、前記把持部に前記ジョイント部を着脱可能に取り付ける着脱手段（４０）と、を具備し、前記アーム部及び操作ハンドルの内部には、接続コード（５１）が収容され、前記操作ハンドル部は、前記接続コードに電気的に接続され、前記電動工具に電源を供給するための第２スイッチ（３７）を備え、前記接続コードの一端は、前記ジョイント部から外部に露出し、その端部には、前記第１のプラグと接続される第２のプラグ（５２）を備え、前記接続コードの他端は、前記操作ハンドル部の後方から外部に露出し、その端部には、前記電動工具を駆動する電源に接続される第３のプラグ（５３）を備え、前記ジョイント部は、前記把持部の上側に配置される上側ジョイント部材（２６）と、前記把持部の下側に配置される下側ジョイント部材（２７）と、を備え、前記着脱手段は前記ジョイント部に設けられており、該着脱手段により前記ジョイント部が前記把持部の外周面に取り付けられた際において、前記上側ジョイント部材と下側ジョイント部材は前記第１スイッチが押圧された状態を保持することを特徴とする。
【００１６】
また、請求項２に記載の着脱式延長ハンドル付きの電動工具は、請求項１に記載の着脱式延長ハンドル付きの電動工具において、前記下側ジョイント部材は、係合部（２７ａ）を有し、前記着脱手段は、前記上側ジョイント部材に設けられており、前記下側ジョイント部材の係合部と係合する係合部材（４１）と、前記係合部材を前記係合部に係合させた状態で前記係合部材を上下方向に移動させる係合部材移動手段（４２、４３、４４、４６）と、を備えていることを特徴とする。
【００１７】
また、請求項３に記載の着脱式延長ハンドル付きの電動工具は、請求項２に記載の着脱式延長ハンドル付きの電動工具において、前記着脱手段は、前記係合部材が係合部に係合する係合力を調整する調整手段を、更に備えていることを特徴とする。
【００１８】
また、請求項４に記載の着脱式延長ハンドル付きの電動工具は、請求項１乃至３のいずれか一項に記載の着脱式延長ハンドル付きの電動工具において、前記下側ジョイント部材は、略Ｕ字状に形成され、その幅方向に弾性力を有しており、且つ、前記下側ジョイント部材の端部間の幅は前記把持部の幅よりも狭く形成されており、前記下側ジョイント部材が前記把持部に取り付けられる際において、前記下側ジョイント部材が、前記電動工具の第１スイッチを押圧した状態で、前記弾性力によって前記把持部に取り付けられることを特徴とする。
【００１９】
また、請求項５に記載の着脱式延長ハンドル付きの電動工具は、請求項１乃至４のいずれか一項に記載の着脱式延長ハンドル付きの電動工具において、前記接続コードを係止する係止体（３１）を備えていることを特徴とする。
【００２１】
また、請求項６に記載の着脱式延長ハンドル付きの電動工具は、請求項１乃至５のいずれか一項に記載の着脱式延長ハンドル付きの電動工具において、前記上側ジョイント部材と下側ジョイント部材とは、連結部材（２８）により繋がれていることを特徴とする。
【発明の効果】
【００２３】
本願の着脱式延長ハンドル付きの電動工具は、簡易な構造で製造することができるのでコストの低減を図れる。また、電動工具の把持部に着脱手段を備えた延長ハンドルが容易に着脱可能になっているので、手動式の電動工具を簡単に着脱式延長ハンドル付き電動工具として提供できる。
【発明を実施するための最良の形態】
【００２４】
以下、本願の着脱式延長ハンドル付きの電動工具について詳述する。なお、本実施形態においては、着脱式延長ハンドルを取り付ける電動工具として手持式の電動刈り込み機を適用して説明を行うものとするが、把持部を有する手持式の電動工具であれば適用可能であり、例えば、一般に電動工具として使用されているヘッジトリマ、サンダ、グラインダ、レシプロソーなどにも適用することができる。
【００２５】
図１は延長ハンドル付きの電動刈り込み機の全体構造を示す正面図、図２は図１に示すＡの拡大図、図３は着脱用金具における係合体の部分断面図、図４はジョイント部が把持部に配置された際の状態を示す部分断面図、図５は図１のＢ側から見た着脱用金具の拡大図、図６は着脱用金具の動作説明図である。なお、説明し易いように、図１において、左側を前方、右側を後方として説明する。なお、以下の説明において、本体の内部構造については、一般的な電動式の刈り込み機と同様であるので、簡単に説明するものとする。
【００２６】
本実施形態の着脱式延長ハンドル付きの電動刈り込み機１００は、使用者が立った状態で地面に生えている芝を刈り込み可能なものである。また、電動刈り込み機の起動操作等を延長ハンドルで操作できるものである。
【００２７】
図１に示すように、着脱式延長ハンドル付きの電動刈り込み機１００は、把持部４を有する電動刈り込み機１と、把持部４の外周に取り付けられているジョイント部２５と、このジョイント部２５に取り付けられている上向き方向に延びるアーム部３０と、アーム部３０の先端に取り付けられる操作ハンドル部３５と、電動刈り込み機１の把持部４にジョイント部２５を着脱可能に取り付ける着脱用金具４０と、を備えている。
【００２８】
図１に示すように、電動刈り込み機１は、芝を刈り込むブレード２を下方前方に突出させて備えている本体３と、本体３の下方に配置され、前記本体３を支持するとともに地面からの前記ブレード２の高さを調整し、前記本体３を位置決めする本体位置決め部１０と、本体位置決め部１０が上面に配置され、地面Ｇに生えている芝生上を摺動するスライダ１５と、前記本体３の下端後方を本体位置決め部１０に固定し、本体３をスライダ１５に固定する固定具２０と、を備えている。
【００２９】
本体３の後部には、使用者が本体３を把持するための略Ｄ字形の把持部４が形成されている。また、本体３の内部には、図示しないブレード２を駆動するモータ等の駆動部、駆動からの動力をブレードに伝達するギヤなどの連結部材、ブレード２を支持する連結軸、駆動部を制御するための基板などが内蔵されている。また、本体３の後方からは、駆動部や基板に接続される電源を供給するための接続コード２２が外部へ露出して設けられている。接続コード２２の先端には、駆動部を動作させるための電源と接続されるオス型接続プラグ２２ａが取り付けられている。また、把持部４の内周前方には、第１スイッチであるトリガースイッチ５が設けられている。このトリガースイッチ５は、駆動部を駆動するためのスイッチとして機能し、基板に接続されている。そして、使用者によってこのトリガースイッチ５が押圧されることにより、駆動部が起動し、ブレード２が作動するようになっている。なお、本実施形態では、トリガー式スイッチとしたが、押しボタン式スイッチであってもよい。
【００３０】
図１に示すように、ブレード２は、そのブレード２の面を地面に対して水平に備えている。また、ブレード２は、略扇形をしたくし状の上刃２ａと下刃２ｂとを備えて構成されており、上刃２ａは、下刃２ｂの上面側に僅かな隙間を有してほぼ重ね合わせて配置されている。上刃２ａと下刃２ｂは、本体３の前方内部において、図示していない連結軸により支持され、互いの面に沿って本体３の幅方向に当該連結軸を支点として所定の角度だけ左右に揺動可能になっている。そして、トリガースイッチ５の押圧によって駆動部が駆動すると、連結軸を介して上刃２ａと下刃２ｂが互いに異なる方向に、当該連結軸を支点として互いの面に沿って一定の角度で左右に揺動運動を繰り返すようになっている。
【００３１】
次いで、図２乃至図５に示すように、ジョイント部２５は、上側ジョイント部材２６と下側ジョイント部材２７とを備えて構成されており、把持部４の外周面に沿って配置されている。この上側ジョイント部材２６と下側ジョイント部材２７は、両方で把持部４に固定されるものであるため、上側ジョイント部材２６、又は下側ジョイント部材２７がなくならないように紐やゴム若しくはチェーンなどの連結部材２８で接続されている。好ましくは、連結部材２８は、弾性力のあるゴムやカール状に連続して巻かれた線材などの弾性部材であれば尚良い。
【００３２】
上側ジョイント部材２６は、電動刈り込み機１の把持部４の上部に配置される。この上側ジョイント部材２６は、電動刈り込み機１の把持部４の上部形状に合わせて形成される端部体２６ａと、この端部体２６ａの上面から斜め上方に形成されている筒状体２６ｂと、を備えて構成されている。筒状体２６ｂには、円筒状の棒材からなるアーム部３０の一端が挿入されて固定されている。なお、アーム部３０は筒状体２６ｂと一体的に形成されても構わない。
【００３３】
また、筒状体２６ｂの上面には、着脱用金具４０が設けられている。この着脱用金具４０は、ジョイント部２５を把持部４に固定するとともに、把持部４に固定されているジョイント部２５を把持部４から取り外すためのものであり、本願の着脱手段として機能するものである。
【００３４】
また、図２乃至図５に示すように、着脱用金具４０は、一端が端部体２６ａの両側部後方に軸２９を介して回動可能に支持されており、他端が前述の下側ジョイント部材２７に形成されている係合部２７ａに係合する係合部材４１と、筒状体２６ｂの上面に取り付けられ、この係合部材４１と係合する係合部４２ａを有する係合体４２と、この係合体４２に一端を係合するアーム４３と、このアーム４３の他端に係合するとともに、筒状体２６ｂの上面に軸４５により回動可能に軸支されたつまみ４４と、係合体４２が筒状体２６ｂの外周面に沿って上下方向へ移動するのをガイドするために、筒状体２６ｂの外周面に一体に形成され、その断面が凹形状をしたガイド部４６と、を備えて構成されている。
【００３５】
図６に示すように、つまみ４４は、軸４５を介して筒状体２６ｂの上下方向へ回動可能に設けられている。このつまみ４４は、ジョイント部２５を把持部４に固定していない状態では、筒状体２６ｂのガイド部４６の側に傾倒して設けられており、このつまみ４４を上方向へ回動し押し倒すことにより、アーム４３を介して係合体４２が筒状体２６ｂの外周面に形成されたガイド部４６に沿って斜め上方に引き上げられる。この係合体４２の引き上げにともなって係合体４２の係合部４２ａに係合している係合部材４１も筒状体２６ｂの外周面に沿って斜め上方へ引き上げられる。これによって、前述の下側ジョイント部材２７が上側ジョイント部材２６側に引き上げられて把持部４に密着して固定される。その際、トリガースイッチ５は下側ジョイント部材２７の内周面により押圧され、その押圧された状態が保持される。
【００３６】
なお、係合部材４１はワイヤなどの線材を折り曲げて形成される。この線材の材質は、例えば、非鉄材、鉄鋼材などである。また、樹脂材により形成されていても構わない。
【００３７】
図３に示すように、係合体４２は、係合部材４１の先端が係合する溝４２ｃを形成した係合部４２ａと、この係合部４２ａと対向して配置されており、つまみ４４に取り付けられているアーム４３の一端を係合させて取り付けるアーム取付部４２ｂと、係合部４２ａとアーム取付部４２ｂとを連結するねじ４２ｄと、を備えて構成されている。係合部４２ａとアーム取付部４２ｂには、それぞれねじ４２ｄを取り付けるための孔４２ｅとねじ孔４２ｆが形成されている。またアーム取付部４２ｂに形成されているねじ孔４２ｆには、ねじ４２ｄと螺合するねじ溝が形成されている。よって、ねじ４２ｄを正転（右回し）すると、その位置が移動しないアーム取付部４２ｂを基準にして、ねじ４２ｄが上方に移動し、同時に係合部４２ａも上方に押し上げられて移動する。即ち、ねじ４２ｄを正転した場合には、係合部４２ａとアーム取付部４２ｂの距離Ｓは小さくなる。一方、ねじ４２ｄを逆転（左回し）すると、係合部４２ａとアーム取付部４２ｂの距離Ｓは大きくなる。
【００３８】
このように、ねじ４２ｄによって容易に係合部４２ａとアーム取付部４２ｂの距離Ｓを調整することができる。また、この距離Ｓを調整することにより、係合部材４１をガイド部４６に沿って斜め上方に引き上げ、又は斜め下方に下げることができるので、前述の下側ジョイント部材２７の係合部２７ａとが係合する係合力を調整することができるようになっている。具体的には、係合部４２ａをガイド部４６に沿って斜め上方に移動させるほど、すなわち、距離Ｓを短くするほどその係合力は強力になる。
【００３９】
このように本実施形態の係合体４２は、本願の調整手段として機能する。また、本実施形態の係合体４２、アーム４３、つまみ４４、ガイド部４６は、本願の係合部材４１を下側ジョイント部材２７の係合部２７ａに係合させた状態で係合部材４１を上下方向に移動させる係合部材移動手段として機能する。
【００４０】
また、係合部４２ａをガイド部４６に沿って上下方向に複数設けるようにして、係合部材４１と係合する係合部４２ａを選択できるようにしても構わない。このような場合、ガイド部４６に配置されている上方側の係合部４２ａであるほど、係合力は強力になる。
【００４１】
また、図４及び図５に示すように、下側ジョイント部材２７は、略Ｕ字状に形成され、その幅方向において弾性をもたせており、把持部４の下部に配置される。また、下側ジョイント部材２７の端部間の幅（把持部４が嵌合する内側寸法）は、把持部４の幅（厚さ）よりも多少小さく形成されている。
【００４２】
このように構成された下側ジョイント部材２７は、上記弾性力によって、電動刈り込み機１の把持部４に単独で取り付けることができる。
【００４３】
よって、電動刈り込み機１の把持部４の下方に下側ジョイント部材２７を取り付けた際の、下側ジョイント部材２７の抜け落ちを容易に防止できる。また、電動刈り込み機１のトリガースイッチ５を押圧した状態で、前記電動刈り込み機１の把持部４に下側ジョイント部材２７を単独で取り付けることが可能となる。すなわち、下側ジョイント部材２７を把持部４に取り付けることによって、電動刈り込み機１のスイッチを常にＯＮ（起動）状態とすることが可能となる。なお、電動刈り込み機１を起動するためのスイッチの操作は、後述する操作ハンドル３５によって行われる。
【００４４】
また、トリガースイッチ５又は電動刈り込み機１を駆動するためのスイッチ（押しボタンスイッチ等）が把持部４の上部などに設けられている場合には、上側ジョイント部材２６により、トリガースイッチ５を押圧した状態でジョイント部２５が把持部４に取り付けられる。
【００４５】
また、図４に示すように、下側ジョイント部材２７の図中左右方向の両端部には、略逆Ｕ字状の係合部２７ａが形成されている。この係合部２７ａは、上記に示すように、係合部材４１と係合する。なお、この係合部２７ａは、必ずしも下側ジョイント部材２７の両端部に形成されている必要はなく、下側ジョイント部材２７の外周面の図中左右方向の両側部に形成されても構わない。
【００４６】
次いで、図１に示すように、アーム部３０は、円筒状に形成されており、一方の端部には、ジョイント部２５が取り付けられ、他方の端部には、操作ハンドル部３５が取り付けられている。また、アーム部３０の内部には、電源供給用の接続コード５１が通っている。
【００４７】
また、アーム部３０の一端が取り付けられているジョイント部２５側には、前記接続コード５１の一端が外部に露出して設けられている。露出している接続コード５１はアーム部３０の外周に設けられている係止体３１により係止されており、この接続コード５１の端部には第１のプラグである電動刈り込み機１の接続用オス型接続プラグ２２ａと接続する第２のプラグである接続用メス型プラグ５２が取り付けられている。また、係止体３１は、アーム部３０の外周面上を自由に移動できるようにしても構わない。また、アーム部３０は複数の筒体を組み合わせ、伸縮自在に形成されても構わない。
【００４８】
このように接続コード５１を係止する係止体３１を備えることによって、接続コード５１、２２が地面に着くことを防止できる。
【００４９】
次いで、操作ハンドル部３５は、ハウジング３５ａを有しており、ハウジング３５ａには使用者が操作ハンドル部３５を把持するための把持部３６が形成されている。ハウジング３５ａの内部には、アーム部３０の内部を通っている電源供給用の接続コード５１が通っている。また、把持部３６の内周前方には、電動刈り込み機１に電気を供給する第２のスイッチとして機能するトリガースイッチ３７が設けられている。使用者によってこのトリガースイッチ３７が押圧されることにより、電動刈り込み機１に電気が供給される。
【００５０】
このように、電動刈り込み機１を駆動するためのスイッチを操作ハンドル部３５に設けたので、芝の刈り込み時における電動刈り込み機１の駆動時の操作性の向上が図れる。
【００５１】
ハウジング３５ａの後方には、接続コード５１の他端が外部に露出して設けられている。露出している接続コード５１の端部には外部の電源と電気的に接続するための第３のプラグである電源供給用接続プラグ５３が取り付けられている。
【００５２】
このように、電源供給用の接続コード２２を操作ハンドル部３５の後方に延長することによって、芝の刈り込み作業において、電源コードを気にすることなく刈り込み作業を行うことができる。
【００５３】
なお、本実施形態は一形態であって、この形態に限定されるものではない。
【００５４】
以上に説明したように、本実施形態の着脱式延長ハンドル付きの電動刈り込み機１００は、把持部４を有する電動刈り込み機１と、前記把持部４の上側に配置される上側ジョイント部材２６と、前記把持部４の下側に配置され、前記電動刈り込み機１のトリガースイッチ５を押圧する下側ジョイント部材２７と、前記上側ジョイント部材２６に取り付けられる上向き方向に延びるアーム部３０と、前記アーム部３０の一端に取り付けられる操作ハンドル部３５と、前記把持部４に前記上側ジョイント部材２６と下側ジョイント部材２７とを着脱可能に取り付ける着脱用金具４０と、を具備している。また、前記下側ジョイント部材２７には外周面に係合部２７ａが形成され、前記着脱用金具４０は、前記上側ジョイント部材２６に設けられており、一端が軸２９を介して上下方向に回動可能に軸支され、前記下側ジョイント部材２７の係合部２７ａと係合する係合部材４１と、係合部材４１の他端が係合する係合体４２と、その係合体４２に一端を係合するアーム４３と、このアーム４３の他端と係合し、軸４５を介して上下方向に回動可能なつまみ４４と、を備えて構成されており、このつまみ４４を回動することにより、前記係合部材４１を前記係合部２７ａに係合させた状態で前記係合部材４１を上下方向に移動させることができる。そして、上記動作により、電動刈り込み機１の把持部４に上側ジョイント部材２６と下側ジョイント部材２７とを取り付け、又は、把持部４から上側ジョイント部材２６と下側ジョイント部材２７を取り外すことが容易にでき、同時にトリガースイッチ５の押圧、又は押圧解除が可能となっている。
【００５５】
このように構成された本実施形態の着脱式延長ハンドル付きの電動刈り込み機１００は、電動刈り込み機１の把持部４に着脱用金具４０を備えた延長ハンドルが容易に着脱可能に取り付けられるようになっているので、手動式の電動刈り込み機１００を簡単に着脱式延長ハンドル付き電動刈り込み機１００として提供できる。また、簡易な構造で製造することができるのでコストの低減を図れる。さらに、使用者は、手動式の電動刈り込み機１００に延長ハンドルを取り付けて、立ったままで容易に芝の刈り込み作業を行うことができる。
【図面の簡単な説明】
【００５６】
【図１】延長ハンドル付きの電動刈り込み機の全体構造を示す正面図である。
【図２】図１に示すＡの拡大図である。
【図３】着脱用金具における係合体の部分断面図である。
【図４】ジョイント部材が把持部に配置された際の状態を示す部分断面図である。
【図５】図１のＢ側から見た着脱用金具の拡大図である。
【図６】着脱用金具の動作説明図である。
【符号の説明】
【００５７】
１  電動刈り込み機
４  把持部
５、３７  トリガースイッチ
２２ａ  オス型接続プラグ
２５  ジョイント部
２６  上側ジョイント部材
２７  下側ジョイント部材
２８  連結部材
３０  アーム部
３１  係止体
３５  操作ハンドル部
４０  着脱用金具
４１  係合部材
４２  係合体
４２ａ  係合部
５１  接続コード
５２  接続用メス形プラグ
５３  電源供給用接続プラグ
【図１】
0004421526.tif 000002
【図２】
0004421526.tif 000003
【図３】
0004421526.tif 000004
【図４】
0004421526.tif 000005
【図５】
0004421526.tif 000006
【図６】
0004421526.tif 000007